(57)【要約】【課題】枕本体とウールシートにより、枕の高さと硬さを調整可能にし、この組合体を容易に挿入可能にした枕カバーを有する快眠枕を提供する。【解決手段】隆起部６と横穴９を備える弾性素材の枕本体３と、枕上部に重ね合わせかつ底部側に巻回した長尺のウールシート４と、これらの組合体を収納する枕カバー２を備える快眠枕１であって、枕カバー２が、前記組合体が挿入されるカバー開口部と、この開口部から伸長する折返し部とを有する。さらに、横穴９の１つに挿入され、通気孔と、快眠を促す物質を収納する空間部を形成した横フレーム５を有して、使用者が枕の高さと同時に硬さを調整し、快眠を促す物質を用いて精神安定を維持する機能を両立させる。【選択図】図２
0003147396.tif 000002
【実用新案登録請求の範囲】
【請求項１】
枕上部に少なくとも１つの隆起部を備え、これに続く中央部分にへこみが形成され、かつ底部に前記隆起部に対応して枕の長手方向に伸びる少なくとも１つの横穴が形成された弾性素材からなる枕本体、
枕の高さと硬さを調整するために、前記枕本体の外側に巻き付けて枕上部で重ね合わされる長尺のウールシーツ、及び、
前記枕本体と前記ウールシーツとの組合体が挿入されるカバー開口部と、この開口部から伸長する折返し部とを有する枕カバーを備えることを特徴とする快眠枕。
【請求項２】
前記横穴の１つに挿入され、上部に複数の通気孔と、内部に快眠を促す物質を収納する空間部を形成した着脱自在の横フレームをさらに備えたことを特徴とする請求項１記載の快眠枕。
【請求項３】
前記ウールシーツは、前記枕本体の底部から枕上部の一方側に巻回させ、この枕上部で重ね合わされるか、または、前記枕上部で重ね合わせ、この枕上部の一方側から底部に巻回して装着されることを特徴とする請求項１または請求項２記載の快眠枕。
【請求項４】
前記枕カバーは、袋形状で、かつカバー開口部の一方の幅広端から袋内に伸長する折返し部を有し、該折返し部は、前記枕本体の側部の露出面を覆うことを特徴とする請求項１ないし３のいずれかに記載の快眠枕。
【請求項５】
前記枕カバーは、その中央部分に上部が開口するカバー開口部を有する凹部を形成し、前記開口部の四辺からそれぞれ伸長する折返し部を形成し、前記折返し部を内側に折り畳んで枕に固定されることを特徴とする請求項１ないし３のいずれかに記載の快眠枕。
【請求項６】
前記枕カバーは、側方から前記枕本体とウールシーツとの組合体を挿入するために、側部にカバー開口部を有する凹部を形成し、前記開口部から伸長する折返し部を折り畳んで枕に固定することを特徴とする請求項１ないし３のいずれかに記載の快眠枕。
【請求項７】
前記枕カバーの折返し部は、対向する折返し部との重なり部分に設けた面ファスナー同士、または折返し部の面ファスナーとウールシーツの対向面との結合によりに固定されることを特徴とする請求項５または請求項６に記載の快眠枕。
【請求項８】
前記枕本体は、軟質のウレタンフォームで形成され、横フレームは、木製であることを特徴とする請求項２記載の快眠枕。
【請求項９】
前記快眠を促す物質は、香り材料、冷却剤、保温剤、消臭剤、炭、磁石の中から選択されることを特徴とする請求項２記載の快眠枕。
【請求項１０】
前記横フレームは、扁平の半円筒形状で、両端部に向けて傾斜する傾斜部を有し、その傾斜角度が５°〜１５°であることを特徴とする請求項２記載の快眠枕。
【請求項１１】
前記枕本体は、枕上部の前側および後側にそれぞれ１つの隆起部を有することを特徴とする請求項１記載の快眠枕。
【請求項１２】
前記枕本体の横穴は、この横穴に沿って底部側に切断溝を有することを特徴とする請求項１記載の快眠枕。
【考案の詳細な説明】
【技術分野】
【０００１】
本考案は、人が睡眠の際に使用する枕に関し、特に使用者の快眠を達成するために、枕の高さおよび硬さ等を調整可能にした快眠枕に関する。
【背景技術】
【０００２】
従来、一般的に使用されている枕は、布によって形成された袋の中に、籾、そばがら、綿等を詰めて所定の高さ、大きさに形成されている。こうした枕は、一旦完成すると、枕の高さや硬さ等を自由に変えることができず、場合によっては不眠症などを引き起こすことがある。
【０００３】
また、最近では、健康用枕と称して種々の形態の枕が販売されているが、このような枕も、高さや、硬さを自由に変更することができず、さらに、枕の高さは、使用する個人の頭の形状に関わるので、その高さ調整は、各人において異なることから、睡眠中に首の凝りや姿勢の矯正をすることはできなかった。
【０００４】
一方、最近の研究では、睡眠時の頭の位置や高さが、体の健康状態に大きな影響を与えることが分かってきた。たとえば、歯科医の立場から、歯のかみ合わせ等について研究をしてきた結果、患者が使用している枕の高さ、硬さ、形状等が歯のかみ合わせに大きな影響を与えることが明らかにされている。
【０００５】
即ち、人間は、直立時には頭を安定に支持するために、肩や首、頸椎の周囲の筋肉が緊張して頭を正しい位置に保持し続けているが、睡眠中は筋肉が弛緩する。このため、個人の体型にあっていない枕を使用した場合には、枕の高さや形などが原因で頭と肩の間に空間ができ、頸椎等が、ずれた状態で頭を保持し続け、頭を安定に保持することができない。
この結果、体型に合わない枕を長期間にわたって使用し続けると、歯のかみ合わせにも影響を与えることが証明されている。
【０００６】
また、他の研究によると、枕の高さが、高すぎると、首や肩の血管や神経が圧迫され、頭痛や肩こりの原因になる。また、逆に高さが低すぎると、首が伸び、あごが上がって血液が頭部に流れ、頭への刺激が増えるため、むくみや寝不足の原因になる。さらに、枕が硬いと、枕は脳を刺激して、目が覚めやすく、柔らかすぎると、筋肉を使いすぎるので、疲れやすくなる。
【０００７】
このような事情から、特に、枕の高さを調整できるものとして、例えば、特許文献１、特許文献２、特許文献３等が開示されている。
【０００８】
特許文献１では、頭の形状に合わせた枕本体の上部または底部に、複数枚の調節パッドを配置して、枕の高さを調節できるようにした枕が開示されている。また、特許文献２では、中央に縫い目を入れた折返部を２つに折り畳んで２段重ね枕とし、枕本体と高さ調整用枕を形成し、さらに、枕の硬さを得るために複数個のパイプを数珠繋ぎにして紐を通し、枕本体を左右方向に引張ることにより、中央の凹所の周囲に凹所のへこみ量あるいは面積を調節でき、その結果、枕の高さが調整できるようになっている。また、特許文献３では、羽毛等を詰め込んで形成した、長方形の扁平筒体の一端側に、板状の芯材を出入自在に収容した袋状の芯材収容部を取り付け、これを折り重ねて所定の高さとなる肉薄の枕本体と、芯材収容部を被覆する袋状の被覆部とからなる枕が開示されている。
【特許文献１】特開２００７−０００３９７号公報
【特許文献２】特開平０８−０００４１９号公報
【特許文献３】特開平１０−２５７９５２号公報
【考案の開示】
【考案が解決しようとする課題】
【０００９】
上記の高さ調節用枕は、単に調節パッドを重ねるもの、あるいは、折り曲げてその間に配置される芯材等によって高さを調整するものであり、主に、枕の高さ位置の調整に重きを置くものであった。
一方、睡眠は、枕の高さ調整だけでなく、適度の硬さ、さらには、精神的な安定感を得ることが大事であり、快眠を促し、脳を休めて熟睡できることが必要である。
【００１０】
このような観点から、本考案は、使用者が自ら枕の高さと同時に硬さを調整して、頭、首の安定した姿勢を確保するとともに、使用者が必要とする快眠を促す物質の特性を利用して精神安定を維持する機能を両立させた新規な快眠枕を提供し、上記諸問題を解決することを目的とする。
【００１１】
また、本考案は、使用者の快眠を達成するため、長尺のウールシーツの重ね合わせによって、枕の高さと硬さを調整可能にするとともに、高さが異なる枕本体への枕カバーの装着を容易にした快眠枕を提供することを目的とする。
【課題を解決するための手段】
【００１２】
上記目的を達成するために、本考案の快眠枕は、枕上部に少なくとも１つの隆起部を備え、これに続く中央部分にへこみが形成され、かつ底部に前記隆起部に対応して枕の長手方向に伸びる少なくとも１つの横穴が形成された弾性素材からなる枕本体、
枕の高さと硬さを調整するために、前記枕本体の外側に巻き付けて枕上部で重ね合わされる長尺のウールシーツ、及び、
前記枕本体と前記ウールシーツとの組合体が挿入されるカバー開口部と、該開口部から伸長する折返し部とを有する枕カバーを備えることを特徴とする。
【００１３】
また、他の実施形態によれば、本考案の快眠枕は、さらに、前記横穴の１つに挿入され、上部に複数の通気孔と、内部に快眠を促す物質を収納する空間部を形成した着脱自在の横フレームを備えている。
【００１４】
さらに、好ましい構成によれば、ウールシーツは、枕本体の底部から枕上部の一方側に巻回させ、この枕上部で重ね合わされるか、または、枕上部で重ね合わせ、この枕上部の一方側から底部に巻回して装着される。枕カバーは、袋形状で、かつカバー開口部の一方の幅広端から袋内に伸長する折返し部を有し、該折返し部は、前記枕本体の側部の露出面を覆うことを特徴とする。
【００１５】
他の実施形態の枕カバーは、その中央部分に上部が開口するカバー開口部を有する凹部を形成し、前記開口部の四辺からそれぞれ伸長する折返し部を形成し、前記折返し部を内側に折り畳んで枕に固定される。さらに、他の実施形態によれば、枕カバーは、側方から枕本体を挿入するために、側部にカバー開口部を有する凹部を形成し、前記開口部から伸長する折返し部を折り畳んで枕に固定することを特徴とする。
枕カバーの折返し部は、対向する折返し部との重なり部分に設けた面ファスナー同士、または折返し部の面ファスナーとウールシーツの対向面との結合によりに固定されることを特徴とする。
【００１６】
さらに、枕本体は、軟質のウレタンフォームで形成され、横フレームは、木製である。また、快眠を促す物質は、香り材料、冷却剤、保温剤、消臭剤、炭、磁石の中から選択される。前記横フレームは、扁平の半円筒形状で、両端部に向けて傾斜する傾斜部を有し、その傾斜角度が５°〜１５°であることを特徴とする。
また、枕本体は、前側および後側にそれぞれ１つの隆起部を有し、さらに、枕本体の横穴は、この横穴に沿って底部側に切断溝を有する。
【考案の効果】
【００１７】
本考案の快眠枕によれば、個人の頭や首に合わせて、枕本体上に配置されるウールシーツを重ねて、枕本体上に配置することができ、ウールシーツの巻き付け形態により、枕の高さと硬さを、自分の好みに合わせて調整することができる。
【００１８】
また、枕カバーは、長尺のウールシーツを巻回して枕上部に重ね合わせた、枕本体とウールシーツの組合体を、カバー開口部より挿入し、折り返部の折り畳みにより、枕本体の露出部分を覆い、高さの異なる枕を収納することが容易である。
また、対面する折返し部同士、または折返し部とウールシーツとを面ファスナーにより固定することもできる。
さらに、快眠を促す色々な物質を枕本体の底部に配置した横フレーム内に収納できるので、自分の好きな快眠促進剤、例えば、香りまたは冷却剤等を選択して、枕底部側からポンプ効果を有する枕本体を介して自然に香るようにして、使用者の精神的な安定度を保つことができる。
【００１９】
このように、本考案は、枕の高さと硬さ、及び快眠を促す多機能の特性を兼ね備えて、かつ組み立て容易でかつ熟睡できる快眠枕を提供できる。
【考案を実施するための最良の形態】
【００２０】
以下、図面に基づいて本考案の実施形態を説明する。
図１は、本考案の概略構成を説明するための快眠枕１の使用例を示す図であり、図２は、枕カバー２に収納された、快眠枕の断面形状を示す側面図である。図３は、本考案に係る枕本体３の概略形状を示す斜視図と要部拡大図である。
【００２１】
本考案の快眠枕１は、枕本体３、ウールシーツ４、及び枕カバー２の主構成からなっている。また、好ましい構成では、枕本体３に快眠を促す快眠促進剤を収納する横フレーム５を備えている。
【００２２】
図１〜図３において、枕本体３は、首の疲れや肩の張りを抑えるため、好ましくは、軟質のウレタンフォームの低反発素材から作られ、ウールシーツ４は、通気性と保温性が高く、巻き方を変えることで頭の高さを自在に調整でき、安眠を作り出すように構成されている。また、枕カバー２は、綿７９％麻２１％を使用して吸湿性を有し、さわやかさを実現し、さらに、横フレーム５は、ウッドケースとして形成され、枕本体３に挿入して、枕の硬さを保つ枕木になると同時に裏面にある挿入口からアロマや冷却剤を入れて、リラックスした眠りを実現する。
【００２３】
本考案に係る枕本体３の形状は、人間工学的に首や肩に合わせて、首の頚椎に無理がなく安定した姿勢が取れるように、流線型状に２つの隆起部６、７を前後上部に有し、その間にくびれを形成するへこみ８を有している。また、これらの隆起部６、７に対応して、横方向に伸びた一対の横穴または溝９を底部に有している。
また、横穴９の底部には、枕の幅全長にわたり、切れ目（切断溝）１１が横方向に横穴に沿って伸び、横フレーム５の挿入を容易にしている。枕本体３は、隆起部６,７、へこみ８、横穴９、切れ目１１を備えた一体形状のウレタンフォームで構成されている。
【００２４】
このウレタンフォームは、本実施形態では、隆起部６,７が枕本体３の前側及び後側に配置されているが、一方のみであっても良い。それゆえ、前側の隆起部６とこれに続く中央部分にへこみ８を備えて、後部は、なだらかな平面であってもよく、上記外形状によって首筋と頭へのやさしい支えを与えるものであればその形状は問わない。
【００２５】
ウレタンフォーム自体は、低密度で水を通すぐらいの無数の孔を有することから、弾力性と通気性が増し、空気、水分等の給排気を行うポンプ効果を生み出している。つまり、頭を動かすことによって、ウレタンフォームの中に空気が移動し、そのため、ムレにくい構造になっている。このポンプ効果は、頭部側からくる湿気や熱などを分散させる機能を有する。
【００２６】
また、図３(a)において、枕本体３は、前側の隆起部６の方が、後側の隆起部７よりもわずかに、例えば、１〜２ｃｍ程度高く形成されている。枕本体３のサイズは、本実施形態では、幅６０ｃｍ、奥行き５０ｃｍ、高さが、９．５〜１１ｃｍ程度の大きさで、その形状は、頭よりも首の輪郭に合うように設計されており、２つの隆起部６,７に高さの差を設けているので、人の好みにより、枕の前後を入れ替えて、隆起部の低い方を前側にすることも可能である。
この上に層状に重ね合わされる長尺のウールシーツ４との組合体により、幾通りもの高さの選択が可能になる。
【００２７】
さらに、枕本体３と、この上に層状に重ね合わされる長尺のウールシーツ４との組合体により、幾通りもの高さの選択が可能になる。また、枕本体の材質は、ウレタンホーム等の低反発素材に限らず、他の構成あるいは、硬さの異なる素材を組み合わせて本考案の外形状に対応する構成とすることも可能である。
また、枕本体３の底部１０に設けた横穴９は、図３(b)に示すように、半円形状であるが、これは、後述する横フレーム５が容易に挿入でき、かつ前後に移動しない寸法が良く、半円形、半楕円形状などに形成されている。
【００２８】
本考案の特徴の１つであるウールシーツ４は、図２および図４に示すように、枕本体３の外側に装着されて枕上部で層状に重ね合わされ、かつ枕本体３の底部側に巻回される長尺のウール製シートからなっている。ウールシーツ４の重ね合わせは、枕本体３の隆起部間のへこみ８、または、枕本体３の上部全体に層状に配置する。
【００２９】
ウールシーツ４の長さは、１ｍ〜２ｍ程度であり、幅は、枕本体３の幅６０ｃｍと同一寸法で、厚さが、０.８ｃｍ〜１．５ｃｍ程度である。このウールシーツ４は、枕本体３への高さ及び硬さ調整用として、特に、枕本体３の高さ調整用として用いられ、天然素材のウールをニードルパンチした不織布からなる。
【００３０】
そのため、このウールシーツ４は、羊毛の自然反発性と吸湿発散性に優れており、枕上部で、複数回を重ね合わせて層状に形成するとともに、ウールシーツ４の一端部は、枕本体３の底部に巻回され、使用時には、底部側が固定されることになる。また、ウールシーツ４は、頭と首筋の形に合わせて沈み込むウール層の厚さを自由に変え、さらに、横フレーム５との組合せにより、枕の高さを定めることができる。理想とする枕の高さは、人が横向きに寝た状態で、鼻、胸、腰の中心が一直線になるように寝る姿勢が熟睡できる形であることが証明されている。
【００３１】
枕の高さを決定するウールシーツの巻き方は、いろいろな方法が考えられ、例えば、図２では、枕本体３の前側から巻回されているが、図４(a)(c)のように枕本体３の後側から巻回することも可能である。また、両側から巻回して、図４(e)のように、枕本体３の底部で合わせることもできる。
【００３２】
このように、ウールシーツ４は、枕本体３の底部から上部後方に巻回させて枕上部で重ね合わされるか、または、前記枕上部で重ね合わせて上部前方から底部に巻回して装着される。
【００３３】
従って、枕本体３の上部に重ね合わされるウールシーツ４は、図４(a)〜(e)に示す配置パターンが考えられる。また、ウールシーツ４の重ね合わせは、二重から四重程度の折り畳みが最適であるが、この重ね合わせは、上側から内側に巻き込む形(図４(a)、(d)）、あるいは、枕上部の下側から上段へ折り重ねる形（図４(b)、(c)）等の重ね合わせであってもよく、また、枕本体３の底部側にウールシーツ４を重ね合わせることも可能である。
【００３４】
ウールシーツ４は、２０％程度のポリエステルを混ぜて、撹拌したポリエステルの糸が溶けて冷やして、固めたものを使用すると、ウールとポリエステルが絡み合った組織となるので、弾力性を増すことができる。なお、枕本体３へのウールシーツ４の固定は、マジックテープ（登録商標）等の面ファスナーを用いて枕本体３とウールシーツ４が互いに貼り付くようにすることもできる。例えば、ウールシール４の長手方向端部の一方に面ファスナーを貼り付けるか、あるいは、枕本体３に貼り付けた面ファスナーとの間で直接固定することが可能である。
【００３５】
次に、本考案に係る枕カバー２は、上述した形態に組み立てられた枕本体３とウールシーツ４を挿入できるものであれば良く、一般的に袋形状のカバーを用いることができる。本考案では、図５に示す枕カバー２において、カバー開口部の一方の幅広端１２a、すなわち、底部側に内側に伸長する折返し部１３と、枕両端側に、飾り用のフリル（ひだ飾り）１５,１５が設けられている。
折返し部１３は、フリル１５の端部から枕カバー２の袋内に折り込まれているため、枕カバー内に枕本体とウールシーツの組合体を挿入した後、折返し部を外側に開くようにして折り込むと、図６の断面図で示すように、枕本体３の側部露出面３aを覆うことができる。
【００３６】
さらに、枕カバー２の他の実施形態が、図７及び図８に示されている。図７に示す本考案に係る第２実施形態の枕カバー２は、展開した状態(a)では、その中央部分に、枕本体３の縦横寸法に合わせて、上方にカバー開口部１２を有する浅い凹部２０が形成され、この凹部２０の四辺からそれぞれ外側に伸長する折返し部２１(a、b)、２２が設けられている。
枕本体３とウールシーツ４の組合体は、枕上部を下にして凹部内に位置決めされ、側方の折返し部２２,２２を両側から折り畳んで、折返し部２２の端部に設けた面ファスナー２３を、直接、ウールシーツ４に固定する。この固定は、図７ｂに示すように、ウールシーツ４の毛羽立ち部分４aと面ファスナー２３とが、かみ合うことにより生じる。そして、図７ｃにおいて、上下方向にある折返部２１a、２１bを重ね合わせて、折り返部の端部に設けた面ファスナー２３同士、または面ファスナーと毛羽立ち部分４aを接触させて、枕本体３に枕カバー２を固定することができる。
【００３７】
また、図８は、枕カバー２の第３実施形態である。この例では、枕カバー２は、側部にカバー開口部１２を有する凹部２０が形成され、この凹部２０に側方から枕本体３とウールシーツ４の組合体を挿入して、枕カバー２への位置決めが行われる。
図８ｂは、枕の組合体が挿入された状態を示しており、ここで、枕本体３の両側に位置する折返し部２２、２２に設けた面ファスナー２３とウールシーツ４とが直接、接触して折返し部２２の固定ができる。
また、図８aの状態から図８bに示すように、側方に伸びた折返し部２１を折り畳み、凹部２０上の折返し部分２１cとの間で、面ファスナー２３同士が接触して固定される。
この結果、面ファスナー２３とウールシーツ４、さらに面ファスナー２３同士の結合により、枕カバー２の折返し部２１、２２を四方から確実に弛みなく固定することができる。
上記第２、第３実施形態の凹部２０は、組合体の側部の位置合わせと挿入を容易にするためであり、その深さは２〜５ｃｍ程度で良く、枕の厚さに影響されない。
【００３８】
このような構成によって、本考案の快眠枕１は、枕カバー２内に枕本体３とこれに巻きつけたウールシーツ４を収納したので、頭をウールの表面に置くとゆっくりと沈んで衝撃を吸収してくれる。ウールシーツ４は、頭の重さや首の重さを分散させる効果があり、頭から首筋を通って肩まで自然な状態を保つ。また、このウールシーツ４は、下にある横フレーム５の硬さを和らげる機能もある。硬い枕が好きな人は、このウールシーツ４の折り畳みを少なくすることによって、硬さを感じることができる。また、ウールシーツ４は、天然素材であるため、吸湿性があるので、頭や首の部分から出る湿気（水分の粒子）を吸って下のウレタンフォームの枕本体３に流れるようになっている。
【００３９】
さらに、本考案では、快眠を促すために、図９に示すように、枕本体３の底部に設けた横穴９に、芳香剤等を収納する横フレーム５を装着する。図９は、香り袋等を収納する横フレーム５を枕本体３に内装する状態を示した組込み構成図である。
本考案に係る横フレーム５は、木製または樹脂製のもので、内部空間２４を有する棒状の筒体２５からなっている。本実施形態では、この横フレーム５は、松の木で製作され、図１０に、横フレーム５の上面(a)、底面(b)、及び縦断面(c)が示されている。その寸法は、幅が５ｃｍ、長さが５４ｃｍ、高さが２．５ｃｍである。また、上部には、複数個の通気孔、例えば、３つの孔５ａが空いている。そして、外側上部の中心部分は、同一高さで、約２３ｃｍ程度伸びており、その両側に、傾斜部２６が、それぞれ残り１０ｃｍ程度の長さに渡って設けられている。
【００４０】
また、内部空間２４は、図１０(c)の断面形状でわかるように、中央部分に広がった空間となっている。そして、底部中央には、引き板５ｂが設けられ、この引き板５ｂは、両側面のエッジに沿って段差部上を横方向にスライドできるようになっている。そして、この引き板５ｂを開いて、内部空間２４に、芳香剤等を詰めた袋２８（図１０(b)及び図９参照）を収納する。横フレーム５の両側に設けた傾斜部２６,２６は、枕の使用者が、横向きで寝る場合に、両端部の硬さが、過度の硬さにならないようにするために設けられたものであり、首を横にして無理なく休め、また、就寝中に寝返りを打つ時にも不快感を生じさせないためにある。この傾斜部２６は、例えば、その傾斜角度が５°〜１５°の範囲となっている。
【００４１】
また、図９,１０において、横フレーム５の内部空間に収納される袋２８には、芳香剤の他に、冷却剤、保温剤、消臭剤、抗菌剤、木製チップ、炭、磁石等を用いることができる。これらの物質は、それぞれ、快眠を促すための機能を有し、健康的でかつ人の気持ちをやわらげる物質であり、その効用は、好みの高さ調整による身体的な姿勢安定確保とともに精神的安定を保って、快眠枕の相乗効果を奏するものである。
さらに、芳香剤を詰めた袋２８は、芳香剤を含浸させたシート状のものとして、枕本体３とウールシーツ４との間に挿入することもできる。
【００４２】
以上のように構成した本考案によれば、枕本体３にウールシーツ４を重ね合わせるることにより、個人の体型にあわせて、枕１の高さと硬さを調整でき、また、ウールシーツ４の特性により、頭と首筋の形に合わせて沈み込むウール層の増減によって、フィット感と耐圧分散を得ることができる。また、睡眠中の頭の動きによって、ウレタンフォームの枕本体３は、ポンプ機能を発揮して、熱のこもりや、むれ感を軽減することができる。
【００４３】
また、本考案の枕カバー２により、枕本体３とウールシーツ４の組立体を容易に装着して高さの異なる枕を収納できる。横フレーム５の傾斜部２６により、寝返りが容易にでき、さらに、横フレーム５に収納した快眠促進物質によって、精神安定を保ち、心地よい眠りを達成できるとともに、ウレタンフォームの内部構造と、底部の横フーレム５に収納した物質との相互作用により、吸湿性や発散あるいは保温効果を達成することができる。
また、枕１が汚れた場合には、構成部品は、単純構成であり、個々独立した部品であるため、交換が容易であり、枕本体３及びウールシーツ４を洗濯することができ、枕を常に清潔に保っておくことができる。
【００４４】
横穴９が半円形状の場合、横フレーム５との間の上部に空間ができる。この空間は、後述する芳香剤等が外側に拡がるようにする意味もある。なお、横フレーム５の断面形状を四角形のように異なる形状とした場合、それに対応した横穴を形成する。
また、横穴９を前後に一対設けた理由は、人の好みにより、枕の前後位置を入れ替えて、手前側を低くした場合等に利用される。
【図面の簡単な説明】
【００４５】
【図１】本考案の実施形態に係る枕の使用例を示す概略構成図である。
【図２】本考案に係る枕本体の上部にウールシーツを折り重ねかつ底部の横穴に横フレームを配置した状態を示す側面構成図である。
【図３】(a)は、本考案に係る枕本体の外形状を示す斜視図と、(b)は、その要部拡大図である。
【図４】本考案に係るウールシーツの重ね合わせの種々のパターン(a)〜(e)を示す側部断面図である。
【図５】本考案の枕カバーに、枕本体とウールシーツの組合体を挿入した状態を示す第１実施形態の斜視図である。
【図６】図５のＡ−Ａ線に沿う断面図である。
【図７】本考案の第２実施形態における枕カバーに、組合体を挿入する手順(a)〜(c)を示す斜視図である。
【図８】本考案の第３実施形態における枕カバーに、組合体を挿入する手順(a)、(b)を示す斜視図である。
【図９】香り袋等を収納した本考案に係る横フレームを、枕本体に内装する状態を示す組込み構成図である。
【図１０】本考案に係る横フレームの構成を示す、上面(a)、底面(b)、及び縦断面(c)を示す各図である。
【符号の説明】
【００４６】
１  快眠枕
２  枕カバー
３  枕本体
４  ウールシーツ
５  横フレーム
６、７  隆起部
８  へこみ
９  横穴
１２  カバー開口部
２０  凹部
１３、２１、２２  折返し部
２３ 面ファスナー
【図１】
0003147396.tif 000003
【図２】
0003147396.tif 000004
【図３】
0003147396.tif 000005
【図４】
0003147396.tif 000006
【図５】
0003147396.tif 000007
【図６】
0003147396.tif 000008
【図７】
0003147396.tif 000009
【図８】
0003147396.tif 000010
【図９】
0003147396.tif 000011
【図１０】
0003147396.tif 000012